(57)【特許請求の範囲】
【請求項１】
多数のカードを多層に積載したカードマガジンが装着され、カードマガジンからのカードを載置して移送するカード積載移送装置において、
カードが摺動するカード摺動面を有するカード保持部と、
カード保持部の下流側に設けられ、カード摺動面上を摺動するカードを排出する排出ゲートと、
カード保持部のカード摺動面に載置されたカードに係合する係合爪と、
カード保持部の上流側から下流側に延び係合爪を案内する案内レールと、
係合爪をカード保持部の上流側から下流側へ駆動する駆動部とを備え、
排出ゲート上方に多層に積層されたカードを保持する保持爪が設けられ、
保持爪近傍に、保持爪に保持されたカードのうち、最下層のカードを上流側へ移送してカード摺動面上に落下させる移送プレートを設け、係合爪はカード保持部のカード摺動面に落下したカードを上流側から下流側へ移送して排出ゲートから排出し、
係合爪の上流側に、係合爪とともに移動して保持爪に積層されたカードのうち最下層のカードを上方へ持ち上げる持上ロールを設け、
前記カード保持部のカード摺動面は上流側から下流側に向って降下し、落下した前記カードの上流端を支持して摺動させることを特徴とするカード積載移送装置。
【請求項２】
カード保持部の上流側に、移送プレートにより上流側へ移送される１枚のカードを進入させる後方ゲートを設けたことを特徴とする請求項１記載のカード積載移送装置。
【請求項３】
係合爪と持上ロールは、案内レールに沿って移動する保持体に保持されていることを特徴とする請求項１記載のカード積載移送装置。
【請求項４】
移送プレートの移送距離は、３ｍｍ以下となっていることを特徴とする請求項１乃至３のいずれか記載のカード積載移送装置。
【請求項５】
請求項１記載のカード積載移送装置と、
カード積載移送装置から排出されたカードに対して印刷を施す印刷部とを備えたことを特徴とするカードプリンタ。
【発明の詳細な説明】
【技術分野】
【０００１】
本発明は、運転免許証、クレジットカード、キャッシュカード、社員証、身分証、その他のＩＤカードを作成するために用いられるカードプリンタおよびカードプリンタに内蔵されたカード積載移送装置に関する。
【従来の技術】
【０００２】
従来より運転免許証、クレジットカード、キャッシュカード、社員証、身分証、その他のＩＤカードを作成するためカードプリンタが用いられている。
【０００３】
このカードプリンタは多数のカードを多層に積載したカードマガジンが装着されるカード積載移送装置を有する。そしてカードマガジンからのカードがカード積載移送装置に移されて積載され、その後、カード積載移送装置からカードが一枚ずつ取出される。
【０００４】
カード積載移送装置から取り出されたカードはその後、カードプリンタ内の印刷部に送られて印刷が施され、さらに必要に応じてカードプリンタ内の書込部においてカードに内蔵されたＩＣチップに必要な情報が書込まれる。
【０００５】
ところで、カードはカード積載移送装置内において多層に積載され、最下層のカードから係合爪により排出ゲートから排出されるが、カードの端部にはカードの製造過程で突起部が形成される場合がある。カード積載移送装置内に積載されたカードから最下層のカードを排出する際、一つ上のカードの端部に形成された突起部が、排出される最下層のカードの表面に当接して排出されるカードの表面に傷を付けたり、ゴミを付着させることがある。
【先行技術文献】
【特許文献】
【０００６】
【特許文献１】特開２００７−９９４０７号公報
【発明の概要】
【発明が解決しようとする課題】
【０００７】
本発明はこのような点を考慮してなされたものであり、カード積載移送装置から排出されるカードの表面に対し、一つ上のカードの突起部から傷を付けられたり、ゴミが付着することのないカード積載移送装置、およびこれを内蔵したカードプリンタを提供することを目的とする。
【課題を解決するための手段】
【０００８】
本発明は、多数のカードを多層に積載したカードマガジンが装着され、カードマガジンからのカードを載置して移送するカード積載移送装置において、カードが摺動するカード摺動面を有するカード保持部と、カード保持部の下流側に設けられ、カード摺動面上を摺動するカードを排出する排出ゲートと、カード保持部のカード摺動面に載置されたカードに係合する係合爪と、カード保持部の上流側から下流側に延び係合爪を案内する案内レールと、係合爪をカード保持部の上流側から下流側へ駆動する駆動部とを備え、排出ゲート上方に多層に積層されたカードを保持する保持爪が設けられ、保持爪近傍に、保持爪に保持されたカードのうち、最下層のカードを上流側へ移送してカード摺動面上に落下させる移送プレートを設け、係合爪はカード保持部のカード摺動面に落下したカードを上流側から下流側へ移送して排出ゲートから排出し、係合爪の上流側に、係合爪とともに移動して保持爪に積層されたカードのうち最下層のカードを上方へ持ち上げる持上ロールを設け、前記カード保持部のカード摺動面は上流側から下流側に向って降下し、落下した前記カードの上流端を支持して摺動させることを特徴とするカード積載移送装置である。
【０００９】
本発明は、カード保持部の上流側に、移送プレートにより上流側へ移送される１枚のカードを進入させる後方ゲートを設けたことを特徴とするカード積載移送装置である。
【００１１】
本発明は、係合爪と持上ロールは、案内レールに沿って移動する保持体に保持されていることを特徴とするカード積載移送装置である。
【００１２】
本発明は、移送プレートの移送距離は、３ｍｍ以下となっていることを特徴とするカード積載移送装置である。
【００１３】
本発明は、上記記載のカード積載移送装置と、カード積載移送装置から排出されたカードに対して印刷を施す印刷部とを備えたことを特徴とするカードプリンタである。
【発明の効果】
【００１４】
以上のように本発明によれば、カード積載移送装置から排出されるカードの表面に、一つ上のカードの端部に形成された突起部から傷を付けたり、ゴミを付着することはない。
【図面の簡単な説明】
【００１５】
【図１】図１（ａ）（ｂ）（ｃ）（ｄ）は本発明の実施の形態によるカード積載移送装置を示す概略図。
【図２】図２（ａ）（ｂ）（ｃ）（ｄ）は図１（ａ）（ｂ）（ｃ）（ｄ）に示すカード積載移送装置を示す詳細図。
【図３】図３はカードプリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【図５】図５は係合爪を駆動する爪駆動部を示す概略図。
【図６】図６は突起部を有するカードを示す図。
【発明を実施するための形態】
【００１６】
以下、図面を参照して本発明の実施の形態について説明する。
【００１７】
図１乃至図６は本発明によるカード積載移送装置およびカードプリンタの一実施の形態を示す図である。
【００１８】
本発明によるカードプリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、例えば社員カード、銀行カード、運転免許証等のＩＣカードを作製するものである。この場合、裏面情報のうちＩＣカード裏面に印字できない追記情報５ａは、追記情報ラベル５に印字される。
【００１９】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２０】
またカードプリンタ２０においては、ＩＣカード１のＩＣチップ１ａ内に、表面情報２ａが書込まれる。
【００２１】
さらにカードプリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている（図３参照）。
【００２２】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている（図３参照）。
【００２３】
なお、カードプリンタ２０はＩＣカードの代わりにＩＣチップを有しないカードに対して印字のみを施すこともできる。
【００２４】
次に図３によりカードプリンタ２０の概略を示す。
【００２５】
図３に示すようにカードプリンタ２０は、ケーシング２０Ａと、ケーシング２０Ａ内上方に設けられＩＣカード１を積層して収納するＩＣカード用ホッパー２１と、ＩＣカード用ホッパー２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印字される。
【００２６】
またＣ印刷部２４の下流側には、Ｙ印刷部２２、Ｍ印刷部２３およびＣ印刷部２４によって印刷されたインキをＩＣカード１の表面に定着させるインキ定着部２５が設けられ、さらにインキ定着部２５の下流側にはＩＣカード１の表面２に表面情報２ａおよびＩＤ情報２ｃを印字する表面印字部２６が設けられている。この場合、Ｙ印刷部２２、Ｍ印刷部２３、Ｃ印刷部２４、インキ定着部２５および表面印字部２６によってプリンタ部２２〜２６が構成されている。
【００２７】
表面印字部２６を通過したＩＣカード１は第１搬送ライン３２から第１リーダライタ２７に送られ、落下部３８からケーシング２０下方にある第２搬送ライン３３へ送られる。
【００２８】
このうち、第１リーダライタ２７は、ＩＣカード１のＩＣチップ１ａに表面情報２ａおよびＩＤ情報２ｃを書込むものである。
【００２９】
さらに第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。
【００３０】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を受け取り、第１集積部３５ａ、第２集積部３５ｂまたは裏面印字集積部３６へＩＣカード１を振分ける選別排出部３７が設けられている。
【００３１】
このうち第１集積部３５ａ、第２集積部３５ｂは、裏面３に対して印字する必要のないＩＣカード１をＩＣカード１の種類に基づいて集積するものである。また裏面印字集積部３６は、下流側の裏面書込機能付プリンタ４０によりＩＣチップ１ａ内に裏面情報３ａを書き込み、かつＩＣカード１の裏面３に対して裏面情報３ａを印字する必要があるＩＣカード１を集積するものである。
【００３２】
裏面印字集積部３６に送られたＩＣカード１は、その後裏面書込機能付プリンタ４０および追記情報ラベル発行部２８へ順次送られる。
【００３３】
ところで選別排出部３７は、ＩＣカード１のＩＣチップ１ａに書込まれたＩＤ情報２ｃを読み取る機能を有し、選別排出部３７は読み取られたＩＤ情報２ｃに基づいて、当該ＩＣカード１に印字する裏面情報３ａが有るか否か判断する。
【００３４】
そして、印字すべき裏面情報３ａが有るＩＣカード１のみが選別排出部３７により裏面印字集積部３６に送られ、印字すべき裏面情報２ａがないＩＣカード１が第１集積部３５ａおよび第２集積部３５ｂに送られる。
【００３５】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。
【００３６】
ところでカードプリンタ２０および裏面書込機能付プリンタ４０は制御装置２０ａにより駆動制御される。
【００３７】
次にカードプリンタ２０に組込まれたＩＣカード用ホッパー２１について、図１（ａ）〜（ｄ）により説明する。
【００３８】
図１（ａ）〜（ｄ）に示すように、カードプリンタ２０に組込まれたＩＣカード用ホッパー２１は多数のＩＣカード１を多層に積載したカードマガジン１５と、このカードマガジン１５が装着されカードマガジン１５からのＩＣカード１を受けて載置するとともにＩＣカード１を一枚ずつ移送する本発明によるカード積載移送装置１０とを備えている。
【００３９】
このうち、本発明によるカード積載移送装置１０は、カードマガジン１５からのＩＣカード１を多層載置するとともに、最下層のＩＣカード１を移送して外部へ排出するものである。
【００４０】
またカードマガジン１５は多層に積載されたＩＣカード１を収納する収納部１５ａと、収納部１５ａの下方に設けられ積載された多数のＩＣカード１を支持する基台１５ｂとからなり、カードマガジン１５をカード積載移送装置１０に装着した場合、カードマガジン１５内の基台１５ｂにより支持されていたＩＣカード１がカード積載移送装置１０側へ受け渡されるようになっている。
【００４１】
次に本発明によるカード積載移送装置１０について述べる。
【００４２】
カード積載移送装置１０はＩＣカード１が摺動するカード摺動面１２を有するカード保持部１１と、カード保持部１１の下流側に設けられＩＣカード１の排出を阻止する排出ゲート体１７と、排出ゲート体１７とカード保持部１１との間に形成され、カード保持部１１のカード摺動面１２上を摺動するＩＣカード１を一枚ずつ排出する排出ゲート１６とを備えている。
【００４３】
またカード保持部１１には、カード保持部１１のカード摺動面１２に接するＩＣカード１に係合する係合爪１３が設けられ、この係合爪１３はカード保持部１１の上流側から下流側に延びて設置された案内レール１４に沿って案内されるようになっている。また案内レール１４はカード保持部１１に水平方向に延びて設置されている。
【００４４】
この場合、係合爪１３は爪駆動部１８により駆動されて、ガイド保持部１１の上流側から下流側に向かって案内レール１４に沿って案内される（図５参照）。
【００４５】
すなわち図５に示すように、係合爪１３を保持する保持体１３ａが案内レール１４に沿って案内され、保持体１３ａは駆動プーリ１８ａと従動プーリ１８ｂに掛け渡されたタイミングベルト１８ｃにより水平方向に駆動される。また保持体１３ａには、係合爪１３の上流側に位置する持上ロール１３ｂが保持され、保持体１３ａが案内レール１４に沿って移動することにより、係合爪１３および持上ロール１３ｂがカード保持部１１の上流側から下流側へ移動する。
【００４６】
ここで持上ロール１３ｂは、図１（ａ）〜（ｄ）に示すように、後述する保持爪５４によって積層されたカード１のうち、最下層のカード１ｂを上方へ持上げるものであり、係合爪１３によってカード摺動面１２上を摺動するカード１ａと、保持爪５４によって積層されたカードのうち最下層のカード１ｂとの接触を防ぐものである（図１（ｄ））。
【００４７】
図５において、駆動プーリ１８ａと、従動プーリ１８ｂと、タイミングベルト１８ｃとによって、係合爪１３および保持体１３ａおよび持上ロール１３ｂを駆動する爪駆動部１８が構成される。
【００４８】
ところで図１（ａ）（ｂ）（ｃ）（ｄ）に示すように、カード保持部１１のカード摺動面１２は側方からみて、上流側（右側）から下流側（左側）へ向って降下している。
【００４９】
また排出ゲート１６の上方に、多数に積層されたＩＣカード１を受ける保持爪５４が設けられている。この保持爪５４はカードマガジン１５からの積層されたＩＣカード１のうち、下流側端部を保持するものであり、積層されたＩＣカード１の上流側端部はカード保持部１１のカード摺動面１２に保持される。
【００５０】
また保持爪５４の近傍に、保持爪５４により保持されたＩＣカード１のうち、最下層のＩＣカード１を上流側へ移送してカード保持部１１のカード摺動面１２上へ落下させる移送プレート５１が設けられている。
【００５１】
またカード保持部１１の上流側に、移送プレート５１により上流側へ移送される一枚のＩＣカード１のみを進入させる後方ゲート５３が設けられている。この後方ゲート５３は、カード保持部１１の上流側に設けられた後方ゲート体５２と、カード保持部１１のカード摺動面１２との間に形成されている。
【００５２】
次に図２（ａ）〜（ｄ）により、移送プレート５１および保持爪５４について更に述べる。図２（ａ）〜（ｄ）に示すように、カード保持部１１の下流側に、カード保持部１１に対して水平方向に移動自在に移送プレート体５１Ａが設けられ、移送プレート５１はこの移送プレート体５１Ａの右端に設けられている。また、移送プレート体５１Ａは駆動部５１Ｂにより駆動される。
【００５３】
図２（ａ）〜（ｄ）において、カード保持部１１に対して保持爪５４は固定されている。はじめに移送プレート体５１Ａおよび移送プレートは、ホームポジションにある（図２（ａ）。
【００５４】
次に移送プレート体５１Ａおよび移送プレート５１が、ホームポジションから右方向へ移動してエンドポジションにくる（図２（ｂ））。このことにより移送プレート体５１Ａの右端に設けられた移送プレート５１が上流側へ移動し、保持爪５４により保持されたＩＣカード１のうち最下層のＩＣカード１を上流側へ移送してカード摺動面１２上へ落下させるようになっている。
【００５５】
その後移送プレート体５１Ａおよび移送プレート５１は左方向へ移動してホームポジションにくる（図２（ｃ））。
【００５６】
その後、移送プレート体５１Ａおよび移送プレート５１は、ホームポジションにあって、後述のように係合爪１３および持上ロール１３ｂが上流側から下流側へ向って移動し、カード保持部１１のカード摺動面１２上に落下したＩＣカードを上流側から下流側へ移動して、排出ゲート１６から外方へ排出するようになっている（図２（ｄ））。
【００５７】
ここで移送プレート体５１Ａの位置は、一対の位置センサ５６、５７により検出され、一対の位置センサ５６、５７からの信号に基づいて、駆動部（図示せず）により移送プレート体５１Ａが駆動される。
【００５８】
次にこのような構成からなる本実施の形態の作用について説明する。
【００５９】
まずカードプリンタ２０のカード積載移送装置１０に、多数のＩＣカード１を多層に積載したカードマガジン１５が装着される（図１（ａ））。
【００６０】
このときカードマガジン１５内には、印字および書込みがなされていないＩＣカード１が積載されている。
【００６１】
カード積載移送装置１０にカードマガジン１５を装着した場合、カードマガジン１５内において基台１５ｂにより支持されていたＩＣカード１はカード積載移送装置１０のカード保持部１１側へ受け渡される。
【００６２】
この場合、ＩＣカード１の上流側はカード保持部１１のカード摺動面１２上に載置され、ＩＣカード１の下流側は排出ゲート１６上方に位置する保持爪５４により保持される（図１（ａ）および図２（ａ））。このとき移送プレート５１はホームポジションにある。
【００６３】
ところで、ＩＣカード１の上流側端部および下流側端部には、下方に向って突出して形成された突起部１Ｐが形成される場合がある（図６）。
【００６４】
互いに積層されたＩＣカード１から下方のＩＣカード１を押し出す場合、上方のＩＣカード１の突起部１Ｐが下方のＩＣカード１表面を傷付けたり、ゴミを付着させることがある。
【００６５】
本発明においては、このような上方のＩＣカード１の突起部１Ｐに起因する下方のＩＣカード１の表面に対する傷の発生あるいはゴミの付着を防ぐことができる。
【００６６】
すなわち、図１（ａ）および図２（ａ）に示すように、積層されたＩＣカード１の上流側をカード保持部１１のカード摺動面１２により保持し、ＩＣカード１の下流側を保持爪５４により保持した状態から、移送プレート５１を上流側へ移動させ、エンドポジションにもってくる（図１（ｂ）および図２（ｂ））。
【００６７】
このとき、移送プレート５１により、保持爪５４により保持され積層されたＩＣカード１のうち最下層のＩＣカード１が上流側へ移送されて保持爪５４からカード摺動面１２上に落下する。
【００６８】
保持爪５４により保持され積層されたＩＣカード１は、移送プレート５１により上流側へ移送されるが、カード保持部１１の上流側には１枚のＩＣカード１のみを進入させる後方ゲート５３が設けられている。このため、移送プレート５１により１枚のＩＣカード１のみを保持爪５４からカード摺動面１２上へ落下させることができる。
【００６９】
なお、移送プレート５１は、最大で３ｍｍ上流側へ移動する。このような移送プレート５１の移動により、最下層のＩＣカード１の表面が、上方のＩＣカード１の上流端部に形成された突起部１Ｐにより傷付く可能性がある。
【００７０】
すなわち、移送プレート５１の移動距離は３ｍｍ以内に抑えられているため、最下層のＩＣカード１の表面には、端部から最大３ｍｍの範囲で傷が付いたりゴミが付着することが考えられる。しかしながら、ＩＣカード１の端部から３ｍｍの範囲は、非印字領域となるため、このような傷あるいはゴミによってＩＣカード１の印字状態に支障が生じることはない。
【００７１】
次に移送プレート５１は下流側に移動してホームポジションにくる（図１（ｃ）および図２（ｃ））。
【００７２】
このとき、カード積載移送装置１０内において、カード摺動面１２上にＩＣカード１ａが落下し、保持爪５４によって多層のＩＣカード１が保持される。保持爪５４によって保持されたＩＣカード１のうち、最下層にＩＣカード１ｂがくる。
【００７３】
次に図１（ｄ）および図２（ｄ）に示すように、保持体１３が案内レール１４に沿って上流側から下流側へ移動し、これに伴なって保持体１３ａにより保持された係合爪１３がカード摺動面１２上のＩＣカード１ａの上流端に係合し、カード摺動面１２上のＩＣカード１ａを下流側へ移送する。
【００７４】
このようにして、カード摺動面１２上のＩＣカード１ａは、排出ゲート１６から外方へ排出される。この間、保持体１３ａにより保持された持上ロール１３ｂが、保持爪５４により保持されたＩＣカード１のうち最下層のＩＣカード１ｂをわずかに上方へ持上げながら下流側へ移動する。
【００７５】
このように持上ロール１３ｂが保持爪５４により保持されたＩＣカード１のうち最下層のＩＣカード１ｂを上方へ持上げるため、カード摺動面１２上のＩＣカード１ａが係合爪１３により下流側へ移送されても、この間カード摺動面１２上を摺動するＩＣカード１ａの表面上に上方のＩＣカード１ｂが接触することはない。このため、カード摺動面１２上を摺動するＩＣカード１ａ表面に傷が付いたりゴミが付着することはない。
【００７６】
次にカードプリンタ２０の作用について述べる。
【００７７】
上述のように、印字および書込みがなされていないＩＣカード１が、ＩＣカード用ホッパー２１のカード積載移送装置１０の排出ゲート１６から排出される。その後ＩＣカード１は第１搬送ライン３２へ送られ、ＩＣカード１は第１搬送ライン３２に沿って搬送される。
【００７８】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【００７９】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面に定着される。
【００８０】
その後ＩＣカード１は第１搬送ライン３２によって表面印字部２６に送られ、この表面印字部２６においてＩＣカード１の表面２に表面情報２ａおよびＩＤ情報２ｃが印字される。
【００８１】
次にＩＣカード１は第１搬送ライン３２から第１リーダライタ２７へ送られ、この第１リーダライタ２７においてＩＣカード１のＩＣチップ１ａに対して表面情報２ａ、顔画像情報２ｂおよびＩＤ情報２ｃが書込まれる。
【００８２】
このようにして表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後落下部３８から第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００８３】
次にＩＣカード１は第２搬送ライン３３により搬送され、選別排出部３７に達する。ＩＣカード１はこの選別排出部３７により振分けられる。すなわちＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００８４】
他方、表面２に表面情報２ａ、顔画像情報２ｂおよびＩＤ情報２ｃが印字され、ＩＣチップ１ａに表面情報２ａおよびＩＤ情報２ｃが書込まれるとともに、裏面３にも裏面情報３ａを印字する必要があり、かつＩＣチップ１ａに裏面情報３ａを書込む必要があるＩＤカード１は裏面印字集積部３６へ送られる。
【００８５】
次に裏面印字集積部３６に送られたＩＣカード１は、その後裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００８６】
このようにしてカードプリンタ２０および裏面書込機能付プリンタ４０によって、ＩＣカード１に対する印字および書込作業が終了し、印字および書込済のＩＣカード１が得られる。
【００８７】
なお、カードプリンタ２０および裏面書込機能付プリンタ４０における各構成部分は、上述のようにプリンタ制御部２０ａにより駆動制御される。
【００８８】
なお印字すべき裏面情報がないと判断されて第１集積部３５ａおよび第２集積部３５ｂへ送られたＩＣカード１は、裏面書込機能付プリンタ４０を経ることなく外方へ排出される。
【００８９】
次に裏面書込機能付プリンタ４０を経たＩＣカード１は、追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００９０】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【符号の説明】
【００９１】
１  ＩＣカード
１ａ  カード摺動面上のＩＣカード
１ｂ  保持爪上の最下層のＩＣカード
１０  カード積載移送装置
１１  カード保持部
１２  カード摺動面
１３  係合爪
１３ａ  保持体
１３ｂ  持上ロール
１４  案内レール
１５  カードマガジン
１６  排出ゲート
１７  排出ゲート体
１８  爪駆動部
２０  カードプリンタ
２１  ＩＣカード用ホッパー
５１  移送プレート
５１Ａ  移送プレート体
５２  後方ゲート体
５３  後方ゲート
５４  保持爪
【図１】
0005939462.tif 000002
【図２】
0005939462.tif 000003
【図３】
0005939462.tif 000004
【図４】
0005939462.tif 000005
【図５】
0005939462.tif 000006
【図６】
0005939462.tif 000007